(57)【要約】【課題】風によって吹き消され難い蝋燭の提供。【解決手段】芯と蝋母体とで形成される蝋燭において、前記芯は、筒形、筒状、或いは渦巻き状に形成され、これ等の芯が蝋母体に埋設されたことを特徴とする。又、前記芯は筒形或いは筒状に形成され、径の異なる複数の前記筒形或いは筒状の芯が同心円状に蝋母体に埋設されたことを特徴とする。又、前記芯は、断面渦巻き状の筒形状に形成されて蝋母体に埋設されたことを特徴とする【選択図】        図１
2004197059.tif 000002
【特許請求の範囲】
【請求項１】
芯と蝋母体とで形成される蝋燭において、
前記芯は筒形に形成され、前記筒形の芯が蝋母体に埋設されたことを特徴とする蝋燭。
【請求項２】
芯と蝋母体とで形成される蝋燭において、
前記芯は筒形に形成され、径の異なる複数の前記筒形の芯が同心円状に蝋母体に埋設されたことを特徴とする蝋燭。
【請求項３】
芯と蝋母体とで形成される蝋燭において、
前記芯は線状に形成され、複数の前記芯が各々間隔を置いて筒状に位置するよう蝋母体に埋設されたことを特徴とする蝋燭。
【請求項４】
線状に形成された複数の芯で形成される筒状は、同心円状に複数配設されたことを特徴とする請求項３に記載の蝋燭。
【請求項５】
筒状は、線状に形成された少なくとも３本以上の芯で形成されたことを特徴とする２乃至請求項４の何れかに記載の蝋燭。
【請求項６】
芯と蝋母体とで形成される蝋燭において、
前記芯は帯状に形成され、複数の前記芯が各々間隔を置いて筒状に位置するよう蝋母体に埋設されたことを特徴とする蝋燭。
【請求項７】
帯状に形成された複数の芯で形成される筒状は、同心円状に複数配設されたことを特徴とする請求項６に記載の蝋燭。
【請求項８】
筒状は、帯状に形成された少なくとも３本以上の芯で形成されたことを特徴とする請求項６又は請求項７に記載の蝋燭。
【請求項９】
筒形或いは筒状の軸心位置に、前記筒形或いは筒状を構成する芯とは独立して形成された線状の芯が蝋母体の中央芯として埋設されたことを特徴とする請求項２乃至請求項８の何れかに記載の蝋燭。
【請求項１０】
芯と蝋母体とで形成される蝋燭において、
前記芯は、断面渦巻き状の筒形状に形成されて蝋母体に埋設されたことを特徴とする蝋燭。
【請求項１１】
渦巻きの中心側端は蝋母体の断面における中央に位置させ、渦巻きの外周端側は当該渦巻きの最外周が筒形となるよう形成されたことを特徴とする請求項１０に記載の蝋燭。
【請求項１２】
芯は隣り合う少なくとも１つの芯と引火可能な間隔に配置されたことを特徴とする請求項２乃至請求項９の何れかに記載の蝋燭。
【発明の詳細な説明】
【０００１】
【発明の属する技術分野】
本発明は、蝋燭の構造に関し、詳しくは、風によって吹き消され難い蝋燭に関する。
【０００２】
【従来の技術】
従来の一般的な蝋燭は、円柱形に成形された蝋母体の軸心に一本の芯（以下、中央芯ともいう）を配設した構成である。
【０００３】
【発明が解決しようとする課題】
しかし、従来の蝋燭では、着火される芯が中央芯の一本だけであるため、風に吹き消され易いという弱点があった。
本発明の目的は、風によって吹き消され難い蝋燭の提供にある。
【０００４】
【課題を解決するための手段】
請求項１の発明は、芯と蝋母体とで形成される蝋燭において、前記芯は筒形に形成され、前記筒形の芯が蝋母体に埋設されたことを特徴とする。
【０００５】
請求項２の発明は、芯と蝋母体とで形成される蝋燭において、前記芯は筒形に形成され、径の異なる複数の前記筒形の芯が同心円状に蝋母体に埋設されたことを特徴とする。
【０００６】
請求項３の発明は、芯と蝋母体とで形成される蝋燭において、前記芯は線状に形成され、複数の前記芯が各々間隔を置いて筒状に位置するよう蝋母体に埋設されたことを特徴とする。
【０００７】
請求項４の発明は、請求項３に記載の蝋燭において、線状に形成された複数の芯で形成される筒状は、同心円状に複数配設されたことを特徴とする。
【０００８】
請求項５の発明は、請求項２乃至請求項４の何れかに記載の蝋燭において、筒状は、線状に形成された少なくとも３本以上の芯で形成されたことを特徴とする。
【０００９】
請求項６の発明は、芯と蝋母体とで形成される蝋燭において、前記芯は帯状に形成され、複数の前記芯が各々間隔を置いて筒状に位置するよう蝋母体に埋設されたことを特徴とする。
【００１０】
請求項７の発明は、請求項６に記載の蝋燭において、帯状に形成された複数の芯で形成される筒状は、同心円状に複数配設されたことを特徴とする。
【００１１】
請求項８の発明は、請求項６又は請求項７に記載の蝋燭において、筒状は、帯状に形成された少なくとも３本以上の芯で形成されたことを特徴とする。
【００１２】
請求項９の発明は、請求項２乃至請求項８の何れかに記載の蝋燭において、筒形或いは筒状の軸心位置に、前記筒形或いは筒状を構成する芯とは独立して形成された線状の芯が蝋母体の中央芯として埋設されたことを特徴とする。
【００１３】
請求項１０の発明は、芯と蝋母体とで形成される蝋燭において、前記芯は、断面渦巻き状の筒形状に形成されて蝋母体に埋設されたことを特徴とする。
【００１４】
請求項１１の発明は、請求項１０に記載の蝋燭において、渦巻きの中心側端は蝋母体の断面における中央に位置させ、渦巻きの外周端側は当該渦巻きの最外周が筒形となるよう形成されたことを特徴とする。
【００１５】
請求項１３の発明は、請求項２乃至請求項９の何れかに記載の蝋燭において、芯は隣り合う少なくとも１つの芯と引火可能な間隔に配置されたことを特徴とする。
【００１６】
【発明の実施の形態】
実施の形態１．
実施の形態１の蝋燭１０は、円柱状に成形された蝋母体１に、一般に用いられる芯部材等を薄膜状に成形して筒形に形成された第１の芯２と、この第１の芯２と異なる径で同様に筒形に形成された第２の芯３とを、前記蝋母体１の軸心を中心として二重筒状に組み合わせ、前記蝋母体１の横断面において軸心を中心とした同心円状に位置するよう埋設した構成である。以下、これを図１乃至図２に基づいて説明する。図１は蝋燭の縦断面図、図２は蝋燭の横断面図である。
【００１７】
図１及び図２において、円柱状に形成された蝋母体１の中央、この例では軸心には、従来の蝋燭に観られるような中央芯が配置されていない。従来の中央芯に代えて、この実施の形態１では、筒形に形成された径の異なる２本の芯２、３（以下、各々を筒形芯とも言う）を同軸状に配置してある。その他の構成は一般的な蝋燭と同様である。
【００１８】
第１の芯（筒形芯）２と第２の芯（筒形芯）３との径方向の配置間隔は、何れかの芯（２又は３）に点火されると、点火された一方の芯、例えば芯３の火勢によって何れ自ずと他方の芯２に着火する位置となるように埋設しておくのが好ましい。
【００１９】
第１及び第２の筒形芯２、３の上方端側は、図１に示すように、何れも点火し易いように、蝋母体１の上端面１１から各々点火部分２１、３１を露出させている。
しかし、図示の例に限らず、点火用に露出される点火部分２１、３１即ち着火領域は、第１及び第２の筒形芯２、３の何れか一方の芯の全部又は一部のみを露出させておいてもよい。
【００２０】
例えば、第１の芯２の一部を露出させ、第２の芯３を上端面１１の下に埋設させておいても（図示せず）、第１の芯２の露出された点火部分（着火領域）２１の一部に点火された火は、当該第１の芯２の上端側の縁に沿って延焼して行き、遂には、火輪状に燃え上る。
この第１の芯２の火勢によって、蝋母体１の上端面１１の蝋が溶け、溶融蝋液となって消費されていくため、第２の芯３の上方端側の縁（着火領域）が、何れ上端面１１に露出し、こうして露出した第２の芯３の着火領域３１に第１の芯２の火が引火し、自然に着火する。
【００２１】
勿論、このような自然着火を待たずに、蝋母体１を傾けて、第１の芯２の火勢を蝋母体１の上端面１１に相対的に近づけることによって、上端面１１の蝋の溶融を促進させ、人為的に第２の芯３の露出を早めて速やかに着火させることもできる。
【００２２】
第１の芯２への点火、第１の芯２から第２の芯３への引火は、何れも各々の芯２、３の一部に点火、或いは引火するだけでよい。上述したように、各芯２、３は筒形で、蝋母体１の上端面１１から露出した点火部分２１、３１即ち着火領域が円形（輪状）に連続するため、着火領域（２１、３１）の一部に火がつけば、容易に当該着火領域（２１、３１）の他の部分に容易に延焼するからである。
【００２３】
従って、一旦着火して、二重輪状に燃え上っている第１及び第２の芯２、３が風などによりその大半が吹き消されたとしても、火種が一部にでも残ってさえいると、吹き消された領域に直ちに延焼することができるので、蝋燭１０の火勢が復活する。
又、仮に、第１又は第２の芯２、３の何れか一方が全部吹き消されたとしても、他方の芯の一部にでも火種が残っていれば、当該火種が残った芯の着火領域（２１、３１）の全周に延焼して火輪となり、及び他方の芯に容易に引火するので、蝋燭１０の火勢を復活させることができる。
【００２４】
この実施の形態１では、２本の筒形芯２、３を二重筒状に埋設した例を示したが、径の異なる３本以上の筒形芯（図示せず）を用いて同様に構成することもできる。
又、必ずしも、二重筒以上とする必要はなく、１本の筒形芯２を埋設してもよい。１本の筒形芯２を埋設した場合でも、着火されて燃え上る一重の輪の全部が吹き消されない限り、一部にでも火種が残れば、上記の通り火勢を復活させることができる。
【００２５】
実施の形態２．
実施の形態２は、上記実施の形態１の筒形芯２、３が文字通り筒形であるのに対し、当該筒形芯２、３を、線状に形成された芯部材２２、３３を複数用いて同心円上に配置して略筒形（筒状）を構成するよう配置した構成である。以下、これを筒状の芯即ち筒状芯２０、３０という。このように構成しても、実質的に上記の実施の形態１と同様の作用効果を奏することができる。以下、これを図３及び図４に基いて説明する。図３及び図４は蝋燭の横断面図である。
【００２６】
図３において、第１及び第２の筒形芯２０、３０は、各々線状に形成された多数の芯部材２２、３３を各々略筒形を構成するように同心円上に間隔を開けて配置してある。これらの芯部材２２（３３）と芯部材２２（３３）との間隔は、一方の芯部材２２（２２）の火勢によって、隣り合う他方の芯部材２２（３３）に容易に引火する配置間隔としておく。これによって、実質的に上記の実施の形態１の筒形芯２、３と同様の作用効果を発揮させることができる。
【００２７】
上記図３の例では、多数の芯部材２２、３３を用いて筒状芯２０、３０を構成しているが、必ずしも多数の芯部材２２、３３を配置する必要はない。
例えば図４に示すように、隣り合う芯部材２２（３３）が引火し易い間隔の範囲で最小の数としてよい。最も径が小さい最小径の筒状芯２０では、少なくとも３本以上の芯部材２２、２２、２２を同心円上に略等間隔に配置して構成することもできる。図４では３本で１つの実状を構成している。尚、上記の芯部材２２、２３は各々が一本の芯（線状芯）でもある。
【００２８】
又、この実施の形態２では、同心円状に配置した２つの筒状芯２０、３０の例を示したが、１つ或いは径の異なる３つ以上の筒状芯（図示せず）を同軸状に配設しても、上記実施の形態１と同様に構成することができる。
【００２９】
実施の形態３．
実施の形態３は、上記実施の形態２の筒状芯２０、３０を線状に形成した芯部材（筒状芯）２２、３３を用いて構成してあるのに対し、当該芯部材２２、３３に代えて、帯状に形成した芯部材（以下、帯状芯ともいう）２４、３４を複数用いて構成したものである。以下、図５に基いて説明する。図５は蝋燭の横断面図である。尚、この帯状芯（２２、２３）もまた各々が一本の芯でもある。
【００３０】
図５に示す示の筒状芯２０、３０もまた、各々多数の帯状の芯部材２４、３４を同心円上に間隔を置いてに配置して構成してある。これらの各筒状芯２０、３０を構成する各々の芯部材（帯状芯）２４（３４）と芯部材（帯状芯）２４（３４）との間隔もまた、一方の芯部材２４（３４）の火勢によって隣り合う芯部材２４（３４）に容易に引火する間隔としてある。
これによって、実質的に上記実施の形態１でいう筒形を構成することができ、上記の実施の形態１や形態２の蝋燭と同様の作用効果を発揮させることができる。
【００３１】
実施の形態４．
実施の形態４は、上記実施の形態１で説明した筒形芯２、３、或いは実施の形態２や形態３で説明した複数の線状芯（２２、２３）で筒状に形成された筒状芯２０、３０や、複数の帯状芯（２４、３４）で筒状に形成された筒状芯２０、３０の筒中心軸即ち蝋母体１の軸中心に、これ等の筒形芯２、３や筒状芯２０、３０とは独立して別に形成された中央芯１０１を配設した構成である。以下、これを図６乃至図９に基いて説明する。図６乃至図８は蝋燭の横断面図、図９は蝋燭の斜視図である。
【００３２】
図６乃至図８は、何れも円柱形に成形した蝋母体１の軸心に中央芯１０１を配設したものである。り、この中央芯１０１を軸として筒形芯２、３、或いは筒状芯２０、３０が蝋母体１に同心円状に埋設されている。
この場合、中央芯１０１と当該中央芯１０１を取り巻く最も内側にある最小径の筒形芯２或いは筒状芯２０との径方向の間隔は、一方の芯の火勢により他方の芯に容易に引火可能な距離としておく。尚、中央芯１０１は一般に用いられている蝋燭の芯を用いてよい。
【００３３】
中央芯１０１を蝋母体１の上端面１１から点火可能に露出させておけば、その外の芯、即ちこの例では、筒形芯２或いは筒状芯２０等は、必ずしも、蝋母体１の上端面１１から露出させておく必要はない。
中央芯１０１が点火され、当該芯１０１の火勢が強まると、蝋母体１の上端面の蝋が次第に溶融蝋液と化して消耗されて行くため、中央芯１０１に近い芯、この例では筒形芯２や筒状芯２０の上端縁が仮に当該上端面１１下に埋設されていたとしても、相対的に蝋母体１の上端面１１に露出して行き、何れ、中央芯１０１の火勢によって自然に引火する。
こうして、第１の筒形芯２や第１の筒状芯２０が燃え上ると、同様にして、次の第２の筒形芯３や筒状芯３０の上端も相対的に蝋母体１の上端面１１から露出し、第１の筒形芯２や筒状芯２０の火勢により何れ自然に引火する。
【００３４】
自然に引火するまで待てない場合には、中央芯１０１に点火して、蝋母体１を傾け、中央芯１０１の炎を蝋母体１の上端面１１に相対的に近づけることにより、上端面１１における筒形芯２や筒状芯２０、３０を被う蝋の一部の溶融を早めて、早めに芯の一部を露出させて強制的に引火させることもできる。
【００３５】
筒形芯２の露出した着火領域（１１、２１）の一部に引火すると、他の着火領域の全部に延焼して行き、線状或いは帯状の芯部材２２、２４、３３、３４が環状に点在する筒状芯２０、３０でもその一部の芯部材（線状芯や帯状芯）に引火すると、隣り合う芯部材（線状芯や帯状芯）２２、２４、３３、３４に延焼して行き、何れも、遂には全体が火の輪状に燃え上る。
【００３６】
実施の形態５．
実施の形態５は、上記実施の形態１乃至４における筒形芯２、３、或いは筒状芯２０、３０に代えて、断面渦巻き状で外観を筒形に形成した芯（以下、渦巻き状芯ともいう）４、４０を蝋母体１に埋設した構成である。これを図１０乃至図１３を例にして説明する。図１０乃至図１３は何れも蝋燭の横断面図である。
【００３７】
図１０に示す渦巻き状芯４は、円柱状に成形された蝋母体１の軸心から外周側に向けて「の」の字を描く一重の渦のように埋設したものである。
又、図１１に示す渦巻き状芯４は、円柱状に成形された蝋母体１の軸心から外周側に向けて「の」の字を描く二重の渦のように埋設したものである。
【００３８】
図１２に示す渦巻き状芯４０は、円柱状に成形された蝋母体１の軸心から外周側に向けて一重の渦を描くように排泄すると共に、巻き周端縁４１を内周側の芯部材外周面に接続させた構成としたものである。
又、図１３に示す渦巻き状芯４０は、円柱状に成形された蝋母体１の軸心から外周側に向けて二重の渦を描くように芯部材を配置すると共に、巻き周端縁４１を内周側の芯部材の外周面に接続させた構成としたものである
【００３９】
渦巻きは、この例では一重或いは二重であるが、三重以上の適宜な巻数にしてもよい。この場合、二重以上の渦巻き間隙は、必ずしも引火可能な間隔でなくてもよい。
渦巻き状芯４、４１は、蝋母体１の上端面１１に露出する着火領域が連続しているため、一部に点火するだけで着火領域全体に容易に延焼するため、点火するために蝋母体１の上端面１１から露出させる部分は一部分でもよい（図示せず）。
【００４０】
図１０乃至図１３に示す渦巻き状芯４、４０は、何れも、渦巻きの中心側端即ち巻き始端側を蝋母体１の断面における中央即ち軸心に位置させているが、必ずしもこれに限らず適宜な位置としてよい。
他方、渦巻きの外周端側即ち巻き終端側４１は、当該渦巻きの最外周が筒形となるように内周側に位置する芯部材の外周面に接続させてもよいし、容易に引火するように近接させたりしてもよいし、或いは、引火しない間隔を開けてもよい。
【００４１】
この渦巻き状芯４、４１は、１枚の薄膜状に成形した芯部材を渦巻き筒状に形成したものであるが、図３〜図５に示すような線状或いは帯状に成形された多数の芯部材１、２を互いに容易に引火可能な間隔にて配置し、全体として渦巻き状となるようにに配設しても、同様の作用効果を発揮させることができる（図示せず）。
【００４２】
実施の形態６．
実施の形態６は、上記実施の形態５の渦巻き状芯４、４０の変形渦巻き状芯の例を図１４において説明する。図１４の（ａ）、（ｂ）は各々蝋燭の横断面図である。
図１４（ａ）の変形渦巻き状芯４２は、図において、半径方向に直線状に芯部材を延在させ、更に筒を描くように円状に延在させた構成としたものである。
又、図１４（ｂ）の変形渦巻き状芯４３は、図において、直径方向に直線状に芯部材を延在させ、更に筒を描くように円状に延在させた構成としたものである。
このように渦巻き状芯４、４０は必ずしも曲線的な渦巻き形状として配置する必要はなく、実質的に連続する一体の膜状の芯として配置すればよい。
【００４３】
実施の形態７．
実施の形態７は、蝋母体１に、筒形芯２、３や筒状芯（線状芯や帯状芯）２０、３０、或いは、中央芯１０１が配設された蝋母体１に筒形芯２、３や筒状芯２０、３０等を三重に埋設した構成である。これを筒形芯を例にして図１５で説明する。図１５は蝋燭の縦断面図である。
【００４４】
図１５において、第３の筒状芯５０も、第１と第２の筒状芯２、３と同様に引火し易い半径距離を置いて配設してある。
これらの筒形芯２、３、５０は、何れも、一般に蝋燭の芯として用いられる芯部材を薄膜状に形成したもので成形してもよいが、溶融蝋液が浸透可能で焼失可能な適当な素材、例えば紙を用いてもよい。
この場合、例えば、比較的薄い紙を１枚或いは少なくとも２枚以上用いて、一重、又は二重若しくは三重以上に重ねて膜状とし、この膜に蝋を塗布したり、どぶ漬け等の適宜な手段にて溶融蝋液を含浸させて固化させる。
【００４５】
又、上記実施の形態１乃至形態７における筒形芯２、３や筒状芯２０、３０や渦巻き状芯４、４０や変形渦巻き状芯４２、４３等も、この芯部材をそのまま用いたり、適宜裁断して線状或いは帯状の芯部材として用いてもよい。
尚、上記の各実施の形態では、蝋母体１を円柱状として説明したが、その形状はこれに限られず、本発明が適用できる形状であればよい。
【００４６】
【発明の効果】
請求項１乃至請求項１２の発明によれば、従来のような、中央芯のみを備えた一般の蝋燭に比べて、燃焼に要する溶融蝋液の量が多くなるので、火勢をより確実に維持させることができ、従って、風等で吹き消され難い蝋燭とすることができる。
【００４７】
又、着火領域の一部が風で吹き消されたとしても、残された着火領域のや隣り合う芯部材の火が引火して再燃させることができるので、容易に火勢を復帰させることができる。
【００４８】
又、筒形、筒状、或いは渦巻き状に芯部材が蝋母体に埋設されているので、蝋燭自体の剛性を増すことができ、従来の芯一本の蝋燭に比べて、折れ難い蝋燭を提供することができる。
【図面の簡単な説明】
【図１】実施の形態１の蝋燭の縦断面図である。
【図２】実施の形態１の蝋燭の横断面図である。
【図３】実施の形態２の蝋燭の横断面図である。
【図４】実施の形態２の他の蝋燭の横断面図である。
【図５】実施の形態３の蝋燭の横断面図である。
【図６】実施の形態４の蝋燭の横断面図である。
【図７】実施の形態４の他の蝋燭の横断面図である。
【図８】実施の形態４の更に他の蝋燭の横断面図である。
【図９】実施の形態４の蝋燭の外観斜視図である。
【図１０】実施の形態５の蝋燭の横断面図である。
【図１１】実施の形態５の他の蝋燭の横断面図である。
【図１２】実施の形態５の他の蝋燭の横断面図である。
【図１３】実施の形態５の更に他の蝋燭の横断面図である。
【図１４】実施の形態６の蝋燭の横断面図である。
【図１５】実施の形態７の蝋燭の一部縦断面図である。
【符号の説明】
１  蝋母体、
２、２０  筒形芯、
３、３０  筒状芯、
４、４０  渦巻き状芯、４２、４３  変形渦巻き状芯、
１０  蝋燭、１１  上端面
５０  第３の筒形芯、１０１  中央芯。
【図１】
2004197059.tif 000003
【図２】
2004197059.tif 000004
【図３】
2004197059.tif 000005
【図４】
2004197059.tif 000006
【図５】
2004197059.tif 000007
【図６】
2004197059.tif 000008
【図７】
2004197059.tif 000009
【図８】
2004197059.tif 000010
【図９】
2004197059.tif 000011
【図１０】
2004197059.tif 000012
【図１１】
2004197059.tif 000013
【図１２】
2004197059.tif 000014
【図１３】
2004197059.tif 000015
【図１４】
2004197059.tif 000016
【図１５】
2004197059.tif 000017